(57)【要約】      （修正有）【課題】医者より処方されて袋に入った多数の錠剤やカプセルを、毎日朝・昼・夕等の時間帯に分けて服用する場合、服用忘れを防止し、薬を整理する服用予定ボードを提供する。【解決手段】ボード１に着脱が容易でしかも容易に脱落することのない透明で蓋のない小容器２を朝・昼・夕の３時間帯、または朝・昼・夕・寝る前の４時間帯に分けて１週間分を配置する。小容器の取り付け法はボード側に長円形の切り抜き小穴３を開け、小容器側にはこれに掛ける斜め下向きの小爪を設けて、ボード側に掛ける構造を持つ。小容器の取り付け法は、逆にボード側に斜め上向きの小爪を設け、小容器側に切り抜き小穴を開けることもあり得る。またボードは卓上に置いた状態で、表面が見易いよう、約１０度傾けて脚部４を設置する。ボードの上部には切り抜き穴５を開けておき、爪またはフックを通し、壁掛け用に共用できる構造とする。【選択図】図１
2011110402.tif 000002
【特許請求の範囲】
【請求項１】
ボード上を曜日と各曜日の服用時間帯に区分し、透明で着脱可能な小容器に各時間帯に服用する必要のある服用薬を配分して飲み忘れを防止する用具において、蓋なしの透明な小容器を７曜日と、あさ、ひる、ゆうの３時間帯に配列するか、または７曜日と、あさ、ひる、ゆう、ねる前の４時間帯に配列し、ボード側に長円形の切り抜き小穴を設け、小容器側には、これに掛かる下向き方向の小爪を設けてボード側に掛ける構造を持つ薬の服用予定ボード。
【請求項２】
請求項１の薬の服用予定ボードにおいて、逆にボード側に上向き方向の小爪を設け、小容器側に、これに掛かる長円形の切り抜き小穴を設けた構造を持つ薬の服用予定ボード。
【請求項３】
請求項１または請求項２の薬の服用予定ボードにおいて、ボードを後ろ側に約１０°傾けて、見易く、使い易くした台構造を持つ、卓上使用が可能な薬の服用予定ボード。
【請求項４】
請求項３の台構造を持つ薬の服用予定ボードにおいて、ボードの上部に切り抜き穴を開け、壁側に対応する上向き方向の爪またはフックを設けることにより、壁掛けとして使用でき、卓上用としても使用できる構造を持つ、薬の服用予定ボード。
【発明の詳細な説明】
【技術分野】
【０００１】  本発明は毎日の時間帯毎に薬を服用する必要のある人が、服用忘れを防止するために、数日間分の服用薬を配分しておく服用管理ボードに関するものである。
【背景技術】
【０００２】  多種類の錠剤やカプセルを朝・昼・夕等の時間帯に別けて服用する必要のある人のために、背景技術として下記のような公報文献がある。
【公報文献１】
登録実用新案第３０２４１８０号公報
【公報文献２】
登録実用新案第３０３５８０９号公報
【公報文献３】
登録実用新案第３１４８６２２号公報
公報文献１では分配用に蓋なしの透明な小容器ではなく収容袋を使用しており、ボード側と収容袋裏側の対応部に爪ではなく着脱自在テープを貼ることで、着脱を可能にしている。
公報文献２では折り曲げ可能なファイルの面に分配袋を多数配列し、分配袋の着脱にはやはり面ファスナーを使用している。しかし着脱自在テープや、面ファスナーによる取り付けは外れ易く、また再取り付け時に位置がずれやすい。
公報文献３は本人の考案で、小容器の着脱方法として、ボードより舌状の突起を垂直に出し、この突起に毛状の面を持つ可撓体を包むように貼り付け、小容器側は、これと勘合する穴を開けて、落下防止と着脱を容易にしているが、より簡易な製作方法が望まれると共に、この文献は壁掛け用を主としており、卓上用についての言及がない。
【発明の開示】
【発明が解決しようとする課題】
【０００３】  医者より処方されて袋に入った多数の錠剤やカプセルを、毎日朝・昼・夕等の時間帯に分けて服用する必要がある人にとり、服用忘れを防止し、薬を整理しておくためにも使い易い状態に薬を分配して管理できるものが必要である。それと共に、より製作容易で安価であることが望ましい。また壁掛け用と卓上用が共用して使用できることが望ましい。
【課題を解決するための手段】
【０００４】  この課題を解決するするために本発明ではまずボードを用意するが、ボードには卓上に置いた状態で表面が見易いよう、約１０度傾けて脚部を設置する。ボードの上部には円、または横長の長円または長方形の切り抜き穴を開けておき、この穴に壁側に設置した爪またはフックを通すことにより、そのまま壁掛け用にも共用できる構造とする。このときボード上端の中央付近は直線の方がより安定がよい。ボードには着脱が容易でしかも容易に脱落することのない透明な小容器を朝・昼・夕の３時間帯、または朝・昼・夕・寝る前の４時間帯に分けて１週間分を配置する。小容器の取り付け法はボード側に長円形の切り抜き小穴を開け、小容器側にはこれに掛ける斜め下向きの小爪を設けて、ボード側に掛ける構造を持つ。なお小容器の取り付け法として、逆にボード側に斜め上向きの小爪を設けて、小容器側には、これに掛かる長円形の切り抜き小穴を開けることもあり得る。ボード上には曜日を表示し、透明な小容器には朝・昼・夕、または朝・昼・夕・寝る前の別を表示する。この小容器に１週間分の服用薬を配分して入れておき、順次に取り出して服用する。
【発明の効果】
【０００５】  本発明により、卓上用として角度が付いているため使いやすく、また壁掛け用としてもそのまま使用できる。薬配分用の小容器は長円形の小穴と、角度のついた幅のある小爪で保持されるため、簡易であると共に安定がよい。また小容器は透明なため、服用したかどうかは容易に判別でき、薬の服用予定ボードとして服用忘れを防止できる。
【発明を実施するための最良の形態】
【０００６】  図１に本発明の薬の服用予定ボードの正面図を示す。図において１はボード、２は着脱可能で透明な小容器で、図では朝・昼・夕の１週間分を配置した例を示している。また図では小容器の取り付け用として、ボード側に多数の長円形の切り抜き小穴３を開けた例を示している。４は卓上使用のとき必要な脚部で、ボードを差し込む構造をしている。５はボード上に開けた横長の切り抜き穴で、手で持って移動する場合、および壁掛け使用時の掛りとなる。６はボード上端の直線部で、この方が壁掛け時により安定がよい。【０００７】  図２は、図１の薬の服用予定ボードを卓上使用状態とした側面図で、ボードはより見易く使い易いよう、後方に約１０度傾けた構造をしている。図の７は小容器をボードの切り抜き小穴に掛けるための下向きの小爪である。【０００８】  図３は本発明の薬の服用予定ボードを、そのまま壁掛け用として使用した場合の側面図で、壁への取り付け状態は同じであるが、本図は小容器の取り付け法を逆にして、ボード側に斜め上向きの小爪８を設け、小容器側にはこれに掛ける長円形の切り抜き小穴を開けた別例を示している。図において９はボードを保持するために壁側に設置した爪で、１０は爪９を壁に止めるためのピンまたはビスを示す。【０００９】  図４は、図３に示す壁掛け用のために壁に設置する爪の拡大斜視図である。爪９は斜め上向き方向に折り曲げた幅のある厚紙または樹脂板で、壁に接触する上方部をピンまたはビス１０で壁に止めるようになっている。【００１０】  図５は、図３に示す壁掛け用のために壁に設置する爪の別例を示す拡大斜視図である。爪が斜め上方を向くよう折り曲げて接着した２枚の厚紙で構成され、壁部で別れて上側を向く紙と下側を向く紙に両面テープ１１を貼り、壁に接着する例を示している。【００１１】  図６は、図１で示す本発明の薬の服用予定ボードに使用の、ボード側の切り抜き小穴３の一部と、これに掛けるための小容器側の下向きの小爪７を示す拡大斜視図である。【００１２】  図７は、図３に示している小容器の取り付け法を逆にした別例の拡大斜視図で、ボード側に斜め上向きの小爪８を設け、小容器側にはこれに掛けるための切り抜き小穴１２を開けたものである。
【図面の簡単な説明】
【００１３】
【図１】  本発明の薬の服用予定ボードの一例を示す正面図
【図２】  図１の薬の服用予定ボードを卓上使用状態とした側面図
【図３】  図１の小容器の取り付け法の別例を、壁掛け使用状態とした場合の側面図
【図４】  壁掛け用のために壁に設置する爪の拡大斜視図
【図５】  壁掛け用のために壁に設置する爪の別例を示す拡大斜視図
【図６】  図１で使用のボード側の切り抜き小穴３と、これに掛ける小容器側の下向きの小爪７を示す拡大斜視図
【図７】  図３に示している小容器の取り付け法を逆にしてボード側に小爪８を、小容器側に小穴１２を開けた別例の拡大斜視図
【符号の説明】
【００１４】    １      ボード
２      小容器
３      ボード側小穴
４      脚部
５      ボード側切り抜き穴
６      ボード上端の直線部
７      小容器側下向きの小爪
８      ボード側上向きの小爪
９      壁側に設置した爪
１０    ピンまたはビス
１１    両面テープ
１２    小容器側小穴
【図１】
2011110402.tif 000003
【図２】
2011110402.tif 000004
【図３】
2011110402.tif 000005
【図４】
2011110402.tif 000006
【図５】
2011110402.tif 000007
【図６】
2011110402.tif 000008
【図７】
2011110402.tif 000009